(57)【要約】【課題】複数のノズルから均一に水に噴射させる一方で、降水停止時の液切れ性を向上させる。【解決手段】複数のノズル１２を略下向きに具備したヘッダー１０を有し、正圧ポンプ２４の作動により給水管２２を通じてヘッダー１０に水を供給して各ノズル１２から水を噴射させるように降水装置を構成した。給水管２２には、その途中部分から分岐する分岐管３２を設け、これに負圧ポンプ３４を介設した。そして、降水停止時には、正圧ポンプ２４を停止させてヘッダー１０への給水を停止する一方、負圧ポンプ３４を作動させて給水管２２および分岐管３２を通じてヘッダー１０内に溜まった水を強制的に排出させるようにした。【選択図】　　　図１
2004000845.tif 000002
【特許請求の範囲】
【請求項１】
複数のノズルを略下向きに具備したヘッダーを有し、給水手段による前記ヘッダーへの給水に伴い前記各ノズルから水を噴射させるように構成された降水装置において、前記給水手段による給水停止動作に同期するタイミングで作動し、前記ヘッダー内の水を強制的に排出させる排水手段を備えていることを特徴とする降水装置。
【請求項２】
請求項１記載の降水装置において、
前記ノズルに連結されて前記ヘッダー内の水をノズルに案内する導水管を備え、この導水管は、前記ヘッダーの上部又はその近傍に導入口を有していることを特徴とする降水装置。
【請求項３】
請求項１又は２記載の降水装置において、
前記排水手段は、前記ヘッダーに接続される排水通路と、この排水通路に設けられる負圧ポンプとを有し、前記負圧ポンプの作動によりヘッダー内の水を吸引排出するように構成されていることを特徴とする降水装置。
【請求項４】
請求項３記載の降水装置において、
前記供給手段は、給水源と前記ヘッダーとを連通接続する給水通路と、この給水通路に設けられて前記給水源の水を圧送する正圧ポンプとを有し、前記給水通路には、その途中部分から分岐する分岐通路が設けられ、この分岐通路に前記負圧ポンプが設けられることにより該分岐通路と前記給水通路の一部とにより前記排水通路が構成されていることを特徴とする降水装置。
【請求項５】
請求項１又は２記載の降水装置において、
前記排水手段は、前記ヘッダー内に空気を供給するブロアーと、前記ノズルとは別に設けられ、前記ブロアーにより給送される空気の供給に伴いヘッダー内の水を排出可能な排水通路とを備えていることを特徴とする降水装置。
【請求項６】
請求項２乃至５の何れかに記載の降水装置において、
前記導水管は、前記ヘッダーの上部に接続されて該ヘッダーから斜め上方に延びるものであって、その先端部分に前記ノズルが下向きに設けられていることを特徴とする降水装置。
【請求項７】
請求項１乃至６の何れかに記載の降水装置において、
前記ヘッダーが通路の天井部分に配置され、さらに歩行者検知用のセンサと、このセンサによる歩行者の検知に基づいて前記給水手段および排水手段の作動を制御する制御手段とを有し、この制御手段は、前記ノズルから水を連続的に噴射させる一方、前記センサによる歩行者の検知に基づき、該歩行者が当該ヘッダーの配設部分を通過する間だけ前記ノズルからの水の噴射を停止させるべく前記給水手段および排水手段の作動を制御することを特徴とする降水装置。
【発明の詳細な説明】
【０００１】
【発明の属する技術分野】
本発明は、テーマパーク等のアトラクションで使用される降水装置に関するものである。
【０００２】
【従来の技術】
従来から、テーマパーク等のアトラクションでは、通路の途中部分に降水装置を設けて擬似的に雨を降らせたり、あるいはウォーターカーテンを形成しておき、歩行者が接近するとその間だけ降水を止めて歩行者の通行を可能とするような演出をすることが一般に行われている。
【０００３】
降水装置は、一般に、図５に示すように、通路の幅方向（同図では紙面に直交する方向）に細長いタンクからなり、かつ複数のノズル５２を前記幅方向に一定間隔で下向きに備えた高架のヘッダー５０を有しており、このヘッダー５０に対して高圧で給水を行いつつ、通路近傍に設けられたセンサによる歩行者の検知に基づいてバルブ（図示せず）を開閉操作することにより、断続的に降水動作を行わせるように構成されている。
【０００４】
【発明が解決しようとする課題】
従来の降水装置では、上記のようにヘッダー５０に一旦水を溜めながらノズル５２から噴出させるため、各ノズル５２からの降水量が均一化されて通路幅方向に亘って均一なウォーターカーテンを形成することができるという利点がある。しかし、その反面、次のような問題がある。
【０００５】
すなわち、バルブ操作により給水が停止されても、ヘッダー内には多少水が残っているため、いつまでもノズル５２から水が滴下するといった液切れの悪さがある。そして、その結果、例えば歩行者に水が滴下して不快感を与えたり、場合によっては、滴下した水によって衣服を汚すといった問題があった。
【０００６】
本発明は、上記課題に鑑みてなされたものであって、複数のノズルから均一に水を噴射させる一方で、降水停止時の液切れ性を向上させることができる降水装置を提供することを目的としている。
【０００７】
【課題を解決するための手段】
上記課題を解決するために、本発明の降水装置は、複数のノズルを略下向きに具備したヘッダーを有し、給水手段による前記ヘッダーへの給水に伴い前記各ノズルから水を噴射させるように構成された降水装置において、前記給水手段による給水停止動作に同期するタイミングで作動し、前記ヘッダー内の水を強制的に排出させる排水手段を備えているものである。
【０００８】
この装置によると、降水動作の停止（ヘッダーへの給水停止）に同期するタイミングでヘッダー内の水が強制的に排出されることにより、降水停止後は、ノズルから水が滴下することがないか、滴下しても短時間で解消されることとなる。
【０００９】
この装置においては、ノズルに連結されて前記ヘッダー内の水をノズルに案内する導水管を設け、この導水管の導入口を前記ヘッダーの上部又はその近傍に設けるようにするのが好ましい。
【００１０】
この構成によれば、強制排水によりヘッダー内の水位が低下すると直ちに水が導水口に流入しなくなる。そのため、降水停止後、ノズルから水が滴下する現象を効果的に解消することができるようになる。
【００１１】
この装置において、前記排水手段は、前記ヘッダーに接続される排水通路と、この排水通路に設けられる負圧ポンプとを有し、前記負圧ポンプの作動によりヘッダー内の水を吸引排出するように構成することができる。
【００１２】
この構成によれば、ヘッダー内の水を速やかに排出することが可能となり、その結果、ノズルから水が滴下する現象を効果的に解消できるようになる。
【００１３】
なお、給水源の水を正圧ポンプの作動により給水通路を通じて前記ヘッダーに給水するように前記給水手段が構成される場合には、前記給水通路に、その途中部分から分岐する分岐通路を設け、この分岐通路に前記負圧ポンプを設けることにより該分岐通路と前記給水通路の一部とにより前記排水通路を構成するようにするのが好ましい。つまり、ヘッダーに対する水の給排通路を一部共用する構成とするのが好ましい。
【００１４】
この構成によると、負圧ポンプを停止させた状態で、正圧ポンプを作動させと、給水通路を通じてヘッダーに水が供給され、逆に、正圧ポンプを停止させた状態で、負圧ポンプを作動させると、給水通路の一部及び分岐通路を通じてヘッダー内の水が排出されることとなる。なお、供給手段と排水手段とを全く別個独立に構成しても構わないが、上記のように水の給排通路を一部共用する構成とすれば、装置構成の簡略化および省スペース化を図ることができるようになる。
【００１５】
この装置において、前記排水手段は、前記ヘッダー内に空気を供給するブロアーと、前記ノズルとは別に設けられ、前記ブロアーにより給送される空気の供給に伴いヘッダー内の水を排出可能な排水通路とを備えているものであってもよい。すなわち、前記ヘッダーに空気を供給することにより、その空気圧でヘッダー内の水を排出させるものであっても構わない。
【００１６】
なお、この装置においては、前記導水管として、前記ヘッダーの上部に接続されて該ヘッダーから斜め上方に延びる導水管を設け、その先端部分に前記ノズルを下向きに設けるのが好ましい。
【００１７】
このような構成によると、導水管内に残った水が自重でヘッダー内に流下することとなるため、給水停止後、導水管内の水がノズルから滴下することが無くなる。なお、ヘッダー内に空気を圧入する場合には、その一部が導水管を通じて外部に流出するため、導水管内に残った水は、通常ノズルから外部に排出されることとなるが、仮に導水管の水が排出されずに残った場合でも、その水は自重でヘッダー内に流下するか、あるいは空気圧と釣り合って導水管内に止まるため、結局、ノズルから滴下することがなくなる。
【００１８】
また、前記ヘッダーを通路の天井部分に配置し、さらに歩行者検知用のセンサと、このセンサによる歩行者の検知に基づいて前記給水手段および排水手段の作動を制御する制御手段とを設け、前記ノズルから水を連続的に噴射させる一方、前記センサによる歩行者の検知に基づき、該歩行者が当該ヘッダーの配設部分を通過する間だけ前記ノズルからの水の噴射を停止させるべく前記給水手段および排水手段の作動を制御するように前記制御手段を構成するようにしてもよい。
【００１９】
このような構成は、例えばテーマパーク等のアトラクションにおいて通路にウォーターカーテンを形成する装置として最適である。
【００２０】
【発明の実施の形態】
本発明の実施の形態について図面を用いて説明する。
【００２１】
図１は、本発明に係る降水装置の第１の実施形態を示す斜視概略図である。この図に示す降水装置は、例えばテーマパーク等のアトラクションにおいて通路１にウォーターカーテンを形成する装置であって、通常は通路天井部分から水を噴射することによりウォーターカーテンを形成し、歩行者４が接近すると、センサ３によりこれを検知してウォーターカーテンを消滅させ、これにより歩行者４が先に進むことができるように、演出するように構成されている。
【００２２】
降水装置は、同図に示すように、通路１の天井部分に配置され、複数のノズル１２を具備した高架のヘッダー１０と、このヘッダー１０に対する水の給排系統２０と、前記センサ３等とを備えている。
【００２３】
前記ヘッダー１０は、図１および図２（ａ）に示すように、円形断面を有し、前記通路１の幅方向（以下、単に幅方向という）に延びる細長のヘッダーからなり、その下部に、前記ノズル１２が取り付けられている。
【００２４】
各ノズル１２は、前記幅方向に一定の間隔で一列に配列され、ヘッダー１０の下側に下向きに取り付けられている。より詳細に説明すると、前記ヘッダー１０の内部には、図２（ａ）に示すように上下方向に延びる複数の導水管１４が幅方向に一定の間隔で設けられている。これらの導水管１４は、それぞれ上端（導水口）がヘッダー１０の上部近傍に位置する一方、下端部がヘッダー壁面を貫通してヘッダー１０の下方に延びている。そして、各導水管１４の先端（下端）にそれぞれノズル１２が固定されることにより、各ノズル１２が前記ヘッダー１０の下部に下向きの状態で取り付けられている。
【００２５】
給排系統２０は、給水タンク２３（給水源）と、この給水タンク２３と前記ヘッダー１０とを連通接続する給水管２２（給水通路）と、正圧ポンプ２４と、給水管２２を開閉する仕切弁２６および逆止弁２８等とを有しており、前記ポンプ２４の作動に伴い前記給水タンク２３内の水を汲み上げながら給水管２２を通じて前記ヘッダー１０に給送するように構成されている。
【００２６】
また、前記給水管２２の途中部分（ヘッダー１０と逆止弁２８との間の部分）には、該給水管２２から分岐して前記給水タンク２３に至る分岐管３２（分岐通路）が設けられている。この分岐管３２には、負圧ポンプ３４と、該分岐管３２を開閉するための電磁弁３６および逆止弁３８等とが設けられており、前記負圧ポンプ３４の作動により分岐管３２及び前記給水管２２を通じて前記ヘッダー１０内の水を吸引排出し得るように構成されている。つまり、この排水管３２および前記給水管２２の一部によりヘッダー内の水を排出する排水通路が形成されている。
【００２７】
センサ３は、例えば赤外線センサ等からなり、歩行者４が赤外線を遮断することにより後述する制御装置にオン信号を出力するように構成されている。なお、センサ３とウォーターカーテンとの間隔は、歩行者４の検知後、ウォーターカーテンが完全に消滅するまでの時間と、歩行者の歩行速度等を総合的に考慮して例えば実験的に定められている。
【００２８】
なお、図１において符合２は、通路１の路面に設けられた溝で、前記ノズル１２から噴射されてウォーターカーテンを形成した水はこの溝２に沿って集水され、前記給水タンク２３に導入されるように構成されている。
【００２９】
ところで、上記のような降水装置には、図示を省略するがコンピュータを構成要素とする制御装置が設けられており、前記センサ３、給排系統２０の各ポンプ２４，３４および電磁弁３６等は全てこの制御装置に電気的に接続されている。そして、降水装置の稼働中は、前記センサ３による歩行者４の検知に基づき、前記ポンプ２４，３４等がこの制御装置により統括的に制御されるように構成されている。
【００３０】
次に、この制御装置の制御に基づく降水装置の動作と、その作用効果について説明する。
【００３１】
上記のような降水装置の構成において、センサ３により前記歩行者４が検知されるまでは、前記給排系統２０において前記電磁弁３６が全閉状態とされ、この状態で前記正圧ポンプ２４が駆動される。これにより、給水タンク２３の水が給水管２２を通じて継続的にヘッダー１０に供給され、前記各ノズル１２から連続的に水が噴射される結果、通路１にウォーターカーテンが形成されることとなる。
【００３２】
この際、ヘッダー１０に一旦水が貯溜されながら各ノズル１２から噴射されることにより、各ノズル１２からの水の噴射量（降水量）が均一となり、通路１の幅方向に亘って違和感のない均一なウォーターカーテンが形成されることとなる。
【００３３】
そして、歩行者４がウォーターカーテンに接近し、センサ３により歩行者４が検知されると、正圧ポンプ２４が停止してヘッダー１０への水の供給が停止される。これにより各ノズル１２からの水の噴射が停止し（ウォーターカーテンが消滅し）、歩行者４がその先に進むことができるようになる。
【００３４】
なお、上記のようにポンプ２４が停止すると、これと略同時に前記電磁弁３６が全開状態に切り換えられるとともに、前記負圧ポンプ３４が駆動され、これによりヘッダー１０内に溜まっている水が給水管２２及び分岐管３２を通じて強制的に前記給水タンク２３に排出される。つまり、このようにヘッダー１０内の水を強制的に排出することで、ウォーターカーテンの消滅後（降水停止後）、各ノズル１２からの水の滴下が防止されるか、あるいは滴下しても速やかに解消されることとなる。特に、この装置では、ヘッダー１０の上壁近傍に導水口を有する導水管１４を通じてノズル１２に水を案合しながら噴射させているので、強制排水が行われると、図２（ｂ）に示すようにヘッダー内の水位が直ちに導水管１４の導水口よりも低くなり、ノズル１２に水が案内されなくなる。従って、ウォーターカーテンの消滅後は、ノズル１２から水が滴下することが殆どなく、高い液切れ性が発揮されることとなる。
【００３５】
こうしてウォーターカーテンが消滅した後、歩行者４が当該箇所を通過し得る予め設定された所定の時間が経過すると、負圧ポンプ３４が停止されて電磁弁３６が全閉状態に切り換えられる一方、正圧ポンプ２４が再び作動してヘッダー１０への給水が再開され、これにより再び通路１にウォーターカーテンが形成されることとなる。
【００３６】
以上説明したように、この降水装置によると、上記のようにヘッダー１０に一旦水を溜めながら各ノズル１２から噴出させるため、通路１の幅方向に亘って均一なウォーターカーテンを形成することができる。
【００３７】
しかも、ウォーターカーテンの消滅後（降水停止後）は、上述したようにノズル１２から水が滴下することが殆どないため、すなわち液切れ性が良いため、ヘッダー内に残った水がいつまでもノズルから滴下して歩行者に不快感を与えたり、滴下した水により衣服を汚すといった従来装置の問題を効果的に解消することができる。
【００３８】
また、上記のように液切れ性が良い結果、歩行者４に対しては、突然ウォーターカーテンが消滅したような印象を与えることが可能となるため、視覚効果をより高めることができるという利点もある。
【００３９】
次に、本発明に係る降水装置の第２の実施形態について図面を用いて説明する。
【００４０】
図３は、第２の実施形態に係る降水装置を示す斜視概略図である。なお、この図に示す降水装置の構成部分の多くは第１の実施形態と共通するため、共通する構成部分については同一符合を付して説明を省略し、相違点についてのみ詳細に説明することとする。
【００４１】
第２の実施形態の降水装置では、ヘッダー１０の構成および給排系統２０の構成が以下の通り第１の実施形態と相違している。
【００４２】
すなわち、第２の実施形態のヘッダー１０には、第１の実施形態のようなヘッダー内部の導水管１４は設けられておらず、図４（ａ）に示すようにヘッダー１０の外側に導水管１５が設けられ、この導水管１５の先端にノズル１２が設けられている。この導水管１５は、ヘッダー１０の上部に連通接続されており、ヘッダー１０から略真上に延びる鉛直部１５ａと、この鉛直部１５ａの上端から水平面に対して角度θだけ斜め上方に延びる傾斜部１５ｂと、この傾斜部１５ｂの先端から略真下に延びる垂下部１５ｃとを有した略逆Ｕ字型の形状に形成されており、前記垂下部１５ｃの先端（下端）にノズル１２が下向きに固定されている。
【００４３】
また、第２の実施形態の給排系統２０において、給水管２２には第１の実施形態のような分岐管３２等は設けられておらず、その代わりに、図３に示すようにブロアー４４がエア供給管４２を介してヘッダー１０に連通接続されるとともに、電磁弁４８を備えた排水管４６（排水通路）がヘッダー１０に連通接続されている。
【００４４】
図３に示すように、給水管２２および排水管４６は、ヘッダー１０の長手方向両端部位にそれぞれ離間して接続されており、図４（ａ）に示すように、例えば給水管２２はヘッダー１０の上部に接続され、また排水管４６はヘッダー１０の端部側面に接続されている。
【００４５】
なお、ブロアー４４および電磁弁４８はいずれも制御装置に電気的に接続されており、この制御装置により統括的に制御されるようになっている。
【００４６】
次に、以上のように構成された第２の実施形態に係る降水装置の動作と、その作用効果について説明する。
【００４７】
この降水装置では、前記歩行者４がセンサ３により検知されるまでは、前記給排系統２０において前記電磁弁４８が全閉状態とされ、この状態で前記ポンプ２４が駆動されることにより、各ノズル１２から連続的に水が噴射されて、通路１にウォーターカーテンが形成される。この際、ヘッダー１０に供給された水は、同ヘッダー内に一旦貯溜されながら、図４（ａ）に示すようにヘッダー１０から導水管１５を通じてノズル１２に案内されて噴射されることとなる。
【００４８】
そして、歩行者４がウォーターカーテンに接近し、センサ３により歩行者４が検知されると、正圧ポンプ２４が停止してヘッダー１０への水の供給が停止される。これによりウォーターカーテンが通路１から消滅する。
【００４９】
また、上記のように正圧ポンプ２４が停止すると、これと略同時に前記電磁弁４８が全開状態に切り換えられるとともに、前記ブロアー４４が駆動される。
【００５０】
つまり、エア供給管４２を通じてヘッダー１０内にエア（空気）が圧入されることにより、そのエア圧によりヘッダー１０内に溜まっている水が排水管４６を通じて強制的に排出され、その結果、各ノズル１２からの水の滴下が抑えられることとなる。この際、上述したようにヘッダー１０の上部から導水管１５を通じてノズル１２に水を案合するように構成されているため、ヘッダー内の水が強制排出されると、図４（ｂ）に示すように、排水に伴う水位の低下により直ちにノズル１２に水が案内されなくなる。しかも、上記のようにエア供給管４２が給水管２２の上部に接続されている結果、エアの圧力がヘッダー内に残った水に作用することとなり、これによりノズル側への水の流動が確実に阻止されることとなる。さらには、ヘッダー内に供給されたエアの一部が導水管１５及びノズル１２を通じて外部に排出されるため、これに伴い導水管１５及びノズル１２内に残っている水が速やかに排出されることとなる。従って、ウォーターカーテンの消滅後（降水停止後）は、ノズル１２から水が滴下することが殆どなく、高い液切れ性が発揮されることとなる。
【００５１】
なお、導水管１５内の水は通常エア圧によりノズル１２を通じて外部に排出されるが、仮に排出されない場合であっても、導水管１５には上記のように傾斜部１５ｂが設けられているので、導水管１５内に残った水は自重でヘッダー１０内に流下するか、あるいはエア圧と釣り合って鉛直部１５ａ内に残留することとなり、いずれの場合もノズル１２から流下することがない。
【００５２】
そして、ウォーターカーテンの消滅後、所定の時間が経過すると、ブロアー４４が停止されて電磁弁４８が全閉状態に切り換えられる一方、正圧ポンプ２４が再び作動してヘッダー１０への給水が再開され、これにより再び通路１にウォーターカーテンが形成されることとなる。
【００５３】
以上のように、この第２の実施形態の降水装置においても、ウォーターカーテンの消滅後（降水停止後）は、高い液切れ性が発揮されるため、第１の実施形態の降水装置と同様に、ノズルから水が滴下して歩行者に不快感を与えたり、滴下した水により衣服を汚すといった問題を良好に解決することができる。
【００５４】
ところで、以上説明した降水装置は、本発明に係る降水装置の代表的な実施形態であって、その具体的な構成は、本発明の要旨を逸脱しない範囲で適宜変更可能であり、以下のような構成を採用することもできる。
【００５５】
▲１▼導出管１４，１５を設けることなく、直接ヘッダー１０の底部等にノズル１２を取り付け、ヘッダー１０から直接（導出管１４等を介すことなく）ノズル１２を通じて水を噴射させるように構成してもよい。但し、導出管１４，１５を設ければ、上述したようにヘッダー１０の強制排水に伴いノズル１２への導水を早期に停止させることが可能となるため、液切れ性を高める上では好ましい。
【００５６】
▲２▼ノズル１２にヘッダー内の水を案内する導出管の形状は、ヘッダー１０の容量等に応じて適宜選定すればよく、例えば、第２の実施形態で採用している導出管１５の構成をそのまま第１の実施形態の装置に適用することも可能である。このような構成によれば、ヘッダー内の水が吸引排出されてヘッダー内の水位が下がると、これに伴い導出管１５内の水が自重で流下してヘッダー内に戻されることとなるので、ノズル１２からの水の滴下を良好に防止して液切れ性を高めることができる。
【００５７】
▲３▼第１の実施形態において、負圧ポンプ３４を備えた排水管を直接ヘッダー１０に接続し、ヘッダー内の水をこの排水管を通じて直接排水するように構成してもよい。つまり、独立した排水系統を設けるようにしてもよい。但し、上記実施形態のように、給水管２２の一部を排水通路として兼用した構成とすれば、装置構成の簡略化、省スペース化を図る上で有利となる。
【００５８】
▲４▼ヘッダー１０への給水停止と略同時に、ヘッダー１０からの強制排水を開始するようにしているが、強制排水を開始するタイミング等は、降水装置の使用条件等に応じて適宜設定するようにすればよい。
【００５９】
【発明の効果】
以上説明したように、本発明の降水装置は、降水動作の停止（ヘッダーへの給水停止）に同期するタイミングでヘッダー内の水を強制的に排出し得るように構成したので、降水停止後、ノズルからの水の滴下を効果的に抑えることができる。つまり、液切れ性能を高めることができる。従って、テーマパークのアトラクション等の設備として使用した場合に、ノズルから水が滴下して歩行者に不快感を与えたり、滴下した水により衣服を汚すといった従来装置の問題を効果的に解消することができるようになる。
【００６０】
特に、ヘッダー内の水を導水管を通じてノズルに案内するように構成するとともに、この導水管の導入口を前記ヘッダーの上部又はその近傍に設けるようにすれば、降水停止後、強制排水によるヘッダー内の水位低下に伴い速やかに導水口への水の流入が無くなるため、極めて短時間で、しかもヘッダー内の水を完全に排出することなく水の滴下を解消することができるようになる。
【図面の簡単な説明】
【図１】本発明に係る降水装置の第１の実施形態を示す斜視概略図である。
【図２】降水装置に適用されているヘッダーの構成を示す断面図である（（ａ）はウォーターカーテン形成時、（ｂ）ウォーターカーテン消滅時）。
【図３】本発明に係る降水装置の第２の実施形態を示す斜視概略図である。
【図４】降水装置に適用されているヘッダーの構成を示す断面図である（（ａ）はウォーターカーテン形成時、（ｂ）ウォーターカーテン消滅時）。
【図５】従来の降水装置の構成（ヘッダー）を示す断面図である。
【符号の説明】
１　通路
３　センサ
４　歩行者
１０　ヘッダー
１２　ノズル
２０　給排系統
２２　給水管
２４　正圧ポンプ
３２　分岐管
３４　負圧ポンプ
３６　電磁弁
【図１】
2004000845.tif 000003
【図２】
2004000845.tif 000004
【図３】
2004000845.tif 000005
【図４】
2004000845.tif 000006
【図５】
2004000845.tif 000007